【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
物体側から順に、
正屈折力の第１レンズ群と、
負屈折力の第２レンズ群と、
正屈折力の第３レンズ群と、
正屈折力の第４レンズ群と、を有し、
広角端から望遠端への変倍の際に、前記第１レンズ群と前記第２レンズ群との間隔、前記第２レンズ群と前記第３レンズ群との間隔、前記第３レンズ群と前記第４レンズ群との間隔を変化させ、
前記第２レンズ群は最も物体側に両凹形状の負レンズを有し全体として２枚以下の負レンズと１枚の正レンズからなり、
以下の条件式を満足することを特徴とするズームレンズ。
０．０＜ＳＦ2n1＜０．８  ・・・（１）’
３．８＜ｆt／ｆw＜１０．０  ・・・（１６）
ただし、
ＳＦ2n1  ＝（Ｒ2n1f＋Ｒ2n1r）／（Ｒ2n1f−Ｒ2n1r）で定義され、
Ｒ2n1fは、前記第２レンズ群中の最も物体側の負レンズの物体側面の近軸曲率半径、
Ｒ2n1rは、前記第２レンズ群中の最も物体側の負レンズの像側面の近軸曲率半径、
ｆwは、広角端での前記ズームレンズ全系の焦点距離、
ｆtは、望遠端での前記ズームレンズ全系の焦点距離、
である。
【請求項２】
以下の条件式を満足することを特徴とする請求項１に記載のズームレンズ。
１．７５＜ｎd2n1＜２．１０  ・・・（２）
３４．０＜νd2n1＜５３．０  ・・・（３）
ただし、
ｎd2n1は、前記第２レンズ群中の最も物体側の負レンズのｄ線に対する屈折率、
νd2n1は、前記第２レンズ群中の最も物体側の負レンズのアッベ数、
である。
【請求項３】
前記第２レンズ群の最も物体側の前記負レンズの少なくとも１つのレンズ面は非球面であり、以下の条件式を満足することを特徴とする請求項１または２に記載のズームレンズ。
０．００＜（｜ａｓｐ2nf｜＋｜ａｓｐ2nr｜）／ｆw＜０．３０  ・・・（４）
ただし、
ａｓｐ2nfは、前記第２レンズ群中の最も物体側の負レンズの物体側のレンズ面における非球面偏倚量、
ａｓp2nrは、前記第２レンズ群中の最も物体側の負レンズの像側のレンズ面における非球面偏倚量、
ｆwは、広角端での前記ズームレンズ全系の焦点距離、
である。
【請求項４】
前記第２レンズ群中の前記最も物体側の負レンズにおける非球面は、光軸から離れるに従い負の屈折力が小さくなる非球面であることを特徴とする請求項３に記載のズームレンズ。
【請求項５】
前記第２レンズ群中の前記最も物体側の負レンズの物体側面、像側面が共に光軸から離れるに従い負の屈折力が小さくなる非球面であることを特徴とする請求項４に記載のズームレンズ。
【請求項６】
以下の条件式を満足することを特徴とする請求項１〜５のいずれか一項に記載のズームレンズ。
１．８７＜ｎd2p＜２．２０  ・・・（５）
１３．０＜νd2p＜３０．０  ・・・（６）
ただし、
ｎd2pは、前記第２レンズ群中の前記正レンズのｄ線に対する屈折率、
νd2pは、前記第２レンズ群中の前記正レンズのアッベ数、
である。
【請求項７】
以下の条件式を満足することを特徴とする請求項１〜６のいずれか一項に記載のズームレンズ。
−５．０＜ＳＦ2p＜０．０  ・・・（７）
ただし、
ＳＦ2p  ＝（Ｒ2pf＋Ｒ2pr）／（Ｒ2pf−Ｒ2pr）で定義され、
Ｒ2pfは、前記第２レンズ群中の前記正レンズの物体側面の近軸曲率半径、
Ｒ2prは、前記第２レンズ群中の前記正レンズの像側面の近軸曲率半径、
である。
【請求項８】
前記第２レンズ群は物体側から順に、負レンズ、正レンズの２枚のレンズからなることを特徴とする請求項１〜７のいずれか一項に記載のズームレンズ。
【請求項９】
前記第２レンズ群は物体側から順に、負レンズ、負レンズ、正レンズの３枚のレンズからなることを特徴とする請求項１〜７のいずれか一項に記載のズームレンズ。
【請求項１０】
以下の条件式を満足することを特徴とする請求項９に記載のズームレンズ。
０．２＜ＳＦ2n2＜２．５  ・・・（８）
ただし、
ＳＦ2n2  ＝（Ｒ2n2f＋Ｒ2n2r）／（Ｒ2n2f−Ｒ2n2r）で定義され、
Ｒ2n2fは、前記第２レンズ群中の物体側から２つめの負レンズの物体側面の近軸曲率半径、
Ｒ2n2rは、前記第２レンズ群中の物体側から２つめの負レンズの像側面の近軸曲率半径、
である。
【請求項１１】
以下の条件式を満足することを特徴とする請求項９または１０に記載のズームレンズ。
１．７５＜ｎd2n2＜２．１０  ・・・（９）
３４．０＜νd2n2＜５３．０  ・・・（１０）
ただし、
ｎd2n2は、前記第２レンズ群中の物体側から２つ目の負レンズのｄ線に対する屈折率、
νd2n2は、前記第２レンズ群中の物体側から２つ目の負レンズのアッベ数、
である。
【請求項１２】
以下の条件式を満足することを特徴とする請求項１〜１１のいずれか一項に記載のズームレンズ。
０．２０＜｜ｆ2／ｆt｜＜０．５０  ・・・（１１）
ただし、
ｆ2は、前記第２レンズ群の焦点距離、
ｆtは、望遠端での前記ズームレンズ全系の焦点距離、
である。
【請求項１３】
前記第１レンズ群が２枚以下のレンズからなることを特徴とする請求項１〜１２のいずれか一項に記載のズームレンズ。
【請求項１４】
前記第１レンズ群が、負レンズと正レンズの２枚のレンズからなることを特徴とする請求項１３に記載のズームレンズ。
【請求項１５】
前記第１レンズ群が、負レンズ、正レンズの２枚のレンズからなり、前記負レンズと前記正レンズはそれぞれ単レンズであることを特徴とする請求項１３に記載のズームレンズ。
【請求項１６】
前記第１レンズ群の前記負レンズと前記正レンズとの軸上間隔が、以下の条件式を満足することを特徴とする請求項１５に記載のズームレンズ。
０．０≦Ｌ1np／Ｌ1＜０．２  ・・・（１２）
ただし、
Ｌ1npは、前記第１レンズ群の負レンズと正レンズとの軸上間隔、
Ｌ1は、前記第１レンズ群の軸上の総厚み、
である。
【請求項１７】
前記第３レンズ群が３枚以下のレンズからなることを特徴とする請求項１〜１６のいずれか一項に記載のズームレンズ。
【請求項１８】
前記第３レンズ群は物体側から順に、正レンズ、正レンズ、負レンズの３枚のレンズから構成されていることを特徴とする請求項１７に記載のズームレンズ。
【請求項１９】
以下の条件式を満足することを特徴とする請求項１〜１８のいずれか一項に記載のズームレンズ。
０．８＜ｆ1／ｆt＜２．４  ・・・（１３）
ただし、
ｆ1は、前記第１レンズ群の焦点距離、
ｆtは、望遠端での前記ズームレンズ全系の焦点距離、
である。
【請求項２０】
以下の条件式を満足することを特徴とする請求項１〜１９のいずれか一項に記載のズームレンズ。
０．２５＜ｆ3／ｆt＜０．５０  ・・・（１４）
ただし、
ｆ3は、前記第３レンズ群の焦点距離、
ｆtは、望遠端での前記ズームレンズ全系の焦点距離、
である。
【請求項２１】
以下の条件式を満足することを特徴とする請求項１〜２０のいずれか一項に記載のズームレンズ。
０．４０＜ｆ4／ｆt＜０．９０  ・・・（１５）
ただし、
ｆ4は、前記第４レンズ群の焦点距離、
ｆtは、望遠端での前記ズームレンズ全系の焦点距離、
である。
【請求項２２】
広角端から望遠端への変倍時に、
前記第１レンズ群と前記第２レンズ群との間隔が広がり、前記第２レンズ群と前記第３レンズ群との間隔が狭まり、前記第３レンズ群と前記第４レンズ群との間隔が広がるように、
前記第１レンズ群、前記第２レンズ群、前記第３レンズ群、前記第４レンズ群は移動し、
さらに、前記ズームレンズは前記変倍に際して第３レンズ群と共に光軸方向に移動する明るさ絞りを有することを特徴とする請求項１〜２１のいずれか一項に記載のズームレン
ズ。
【請求項２３】
広角端から望遠端への変倍時に、
前記第１レンズ群は広角端よりも望遠端で物体側にあるように移動し、
前記第２レンズ群は移動し、
前記第３レンズ群は物体側へのみ移動し、
前記第４群は移動し、
前記明るさ絞りは前記第２レンズ群と前記第３レンズ群との間に位置し、前記変倍に際して第３レンズ群と一体で光軸方向に移動することを特徴とする請求項２２に記載のズームレンズ。
【請求項２４】
前記ズームレンズが４群ズームレンズであることを特徴とする請求項１〜２３のいずれか一項に記載のズームレンズ。
【請求項２５】
請求項１から２４のいずれか一項に記載のズームレンズと、
前記ズームレンズの像側に配置され、前記ズームレンズにより形成される光学像を電気信号に変換する電子撮像素子とを有することを特徴とする電子撮像装置。
【請求項２６】
物体側から順に、
正屈折力の第１レンズ群と、
負屈折力の第２レンズ群と、
正屈折力の第３レンズ群と、
正屈折力の第４レンズ群と、を有し、
広角端から望遠端への変倍の際に、前記第１レンズ群と前記第２レンズ群との間隔、前記第２レンズ群と前記第３レンズ群との間隔、前記第３レンズ群と前記第４レンズ群との間隔を変化させ、
前記第２レンズ群は最も物体側に両凹形状の負レンズを有し全体として２枚の負レンズと１枚の正レンズからなり、
前記第２レンズ群は物体側から順に、負レンズ、負レンズ、正レンズの３枚のレンズからなり、
以下の条件式を満足することを特徴とするズームレンズ。
０．０＜ＳＦ2n1＜０．９  ・・・（１）
３．８＜ｆt／ｆw＜１０．０  ・・・（１６）
ただし、
ＳＦ2n1  ＝（Ｒ2n1f＋Ｒ2n1r）／（Ｒ2n1f−Ｒ2n1r）で定義され、
Ｒ2n1fは、前記第２レンズ群中の最も物体側の負レンズの物体側面の近軸曲率半径、
Ｒ2n1rは、前記第２レンズ群中の最も物体側の負レンズの像側面の近軸曲率半径、
ｆwは、広角端での前記ズームレンズ全系の焦点距離、
ｆtは、望遠端での前記ズームレンズ全系の焦点距離、
である。